(57)【要約】【課題】  後ローラの高さを調節しても集草容器の高さ位置に不具合を生じることがないようにしたリール式芝刈機を提供すること。【解決手段】  左右の芝刈機本体に軸支した前ホイール２と、この前ホイールの回転によって芝刈機本体３の間で回転する回転刃４と、この芝刈機本体３から後側に延設し、上下方向に揺動可能に支持した支持フレーム１２と、この支持フレーム１２の後部に支持した後ローラ１１と、この支持フレーム１２の揺動に連動して前記回転刃４と刃先が接した状態で移動する固定刃１７で芝ｍの刈り高さを調節する刈り高さ調節機構と、この回転刃４で刈った芝ｍを、芝刈機本体３の前部に保持した集草容器６に集める案内カバー２１とを備え、前記支持フレーム１２を揺動させて刈り高さＨ１を高く調節する操作に連動して、前記集草容器６の前部を上向きに移動させる連結アーム２３を設ける。【選択図】  図１
2006304618.tif 000002
【特許請求の範囲】
【請求項１】
左右の芝刈機本体に軸支した前ホイールと、
該前ホイールの回転によって芝刈機本体の間で回転する回転刃と、
該芝刈機本体から後側に延設し、上下方向に揺動可能に支持した支持フレームと、
該支持フレームの後部に支持した後ローラと、
該支持フレームの揺動に連動して前記回転刃と刃先が接した状態で移動する固定刃で芝の刈り高さを調節する刈り高さ調節機構と、
該回転刃で刈った芝を、芝刈機本体の前部に保持した集草容器に集める案内カバーとを備え、
前記支持フレームを揺動させて刈り高さを高く調節する操作に連動して、前記集草容器の前部を上向きに移動させる連結アームを設けたリール式芝刈機。
【請求項２】
前記集草容器を保持する保持部材を左右の芝刈機本体に設け、該保持部材の下部を芝刈機本体に軸支し、該保持部材の上部と前記支持フレームの支持軸とを前記連結アームで連結した請求項１記載のリール式芝刈機。
【発明の詳細な説明】
【技術分野】
【０００１】
本願発明は、芝の刈り高さを大きな範囲で調節することができるリール式芝刈機に関する。
【背景技術】
【０００２】
従来より、リール式芝刈機として、例えば、図４の斜視図と図５の中央縦断面図に示すようなリール式芝刈機がある。このリール式芝刈機５１は、左右に芝刈機本体５３が設けられ、これら芝刈機本体５３の外側に前ホイール５２が軸５８で回動自在に軸支されている。左右の芝刈機本体５３の前部は、集草容器５６を引っ掛けて保持するために固定された保持フレーム５７で連結されている。また、芝刈機本体５３の間には、回転刃５４を支持する回転軸５５が軸受（図示略）を介して設けられている。この回転刃５４は、前ホイール５２が回転することによって内蔵したインターナルギヤで前記回転軸５５に連結されたピニオンギヤを回転させる歯車機構５９で回転させられる。
【０００３】
一方、芝刈機本体５３の後部には本体フレーム６０が固定されている。この本体フレーム６０は、左右の芝刈機本体５３からそれぞれ後方に向けて延びるように設けられている。そして、これら左右の本体フレーム６０の間には、後ローラ６１を回転自在に支持する支持フレーム６２を左右に備えた支持軸６３が設けられている。左右の支持フレーム６２の上部には、支持軸６３を中心に複数の凹部６４が形成されており、本体フレーム６０に設けられた高さ固定バー６５が係合している。
【０００４】
また、支持軸６３には固定刃取付フレーム６６が設けられており、この固定刃取付フレーム６６の先端に固定刃６７が取付けられている。固定刃取付フレーム６６は、支持軸６３を中心に回動可能に構成されており、刃調整ナット６８によって位置調整ができるように構成されている。
【０００５】
さらに、左右の本体フレーム６０には、後方に延びるハンドル７０が設けられており、このハンドル７０を作業者が持って前ホイール５２を前進させれば、回転刃５４と固定刃６７との間で芝ｍを刈り取ることができる。この刈り取った芝ｍは、案内カバー７１によって前方の集草容器５６に集められる。
【０００６】
このようなリール式芝刈機５１の場合、支持軸６３を中心に支持フレーム６２を揺動させて選択した凹部６４に高さ固定バー６５を係合させることにより固定刃６７の高さを調節することができ、この調節により、回転刃５４との間で芝を刈り取る刈り高さＨ１を調節することができる。例えば、図５に実線で示す低い刈り高さＨ１の設定と、二点鎖線で示す高い刈り高さＨ２の設定との間で数段階の調節が可能なように構成されている。この刈り高さの調節は、刈り取る芝の長さに応じて設定される。
【０００７】
この種の従来技術として、刈り高さの調節ができるようにしたリール式芝刈機がある（例えば、特許文献１，２参照。）。
【特許文献１】特開平８−３７８７０号公報
【特許文献２】特開平９−１５４３０４号公報
【発明の開示】
【発明が解決しようとする課題】
【０００８】
ところで、前記したようにリール式芝刈機５１では、後ローラ６１側で刈り高さを変更するように構成されているが、後ローラ６１側を高くして芝刈機５１の後側を上げると、前ホイール５２の前部に設けられた集草容器５６が下がる構造となっている。すなわち、後ローラ６１によって刈り高さを高くすると芝刈機本体５３が前向きに回動し、これにより集草容器５６の保持フレーム５７も回動して前向きに傾くので、この保持フレーム５７で保持している集草容器５６の前部が下方に下がってしまう。つまり、接地している前ホイール５２を支点として、後ローラ６１側を上げると集草容器５６の前部が下がり、逆に後ローラ６１側を下げると集草容器５６の前部が上がる、シーソー状の構成となっている。
【０００９】
そのため、このようなリール式芝刈機５１では、後ローラ６１側を高くして高い刈り高さＨ２とした場合、集草容器５６の前部が下がり、この集草容器５６の前部が刈り取る前の長い芝ｍに当たってスムーズな刈り取り作業を行うことができなくなる。
【００１０】
このようなことから、従来より、長い芝ｍ（例えば、１００ｍｍを超えるような芝）を刈り取る場合、予めリール式芝刈機による刈り取り作業に支障のない長さ（例えば、５０ｍｍ程度）まで他の草刈機等で芝ｍを短く刈り、その後、リール式芝刈機で仕上げるような方法で刈り取られている。
【００１１】
しかしながら、この方法の場合には他の草刈機等が必要になるとともに、機械を交換して行う作業に時間を要する。そのため、リール式芝刈機によって長い芝を直接刈り取りたい、という要望がある。
【００１２】
なお、前記特許文献１，２は、本願発明が対象とするリール式芝刈機とは構造が異なり、前記したように後ローラ６１の高さ調節によって集草容器５６が下がって刈り取り作業に不具合を生じる、という課題を生じないとともに解決できるものでもない。
【００１３】
そこで、本願発明は、後ローラの高さを高く調節しても集草容器の高さ位置に不具合を生じることがないようにしたリール式芝刈機を提供することを目的とする。
【課題を解決するための手段】
【００１４】
前記目的を達成するために、本願発明は、左右の芝刈機本体に軸支した前ホイールと、該前ホイールの回転によって芝刈機本体の間で回転する回転刃と、該芝刈機本体から後側に延設し、上下方向に揺動可能に支持した支持フレームと、該支持フレームの後部に支持した後ローラと、該支持フレームの揺動に連動して前記回転刃と刃先が接した状態で移動する固定刃で芝の刈り高さを調節する刈り高さ調節機構と、該回転刃で刈った芝を、芝刈機本体の前部に保持した集草容器に集める案内カバーとを備え、前記支持フレームを揺動させて刈り高さを高く調節する操作に連動して、前記集草容器の前部を上向きに移動させる連結アームを設けている。このように刈り高さを調節する後ローラの揺動に連動して集草容器の前部を上向きに移動させることにより、刈り高さを高くする調節に連動して集草容器の前部が下がらないように自動的に位置調節ができ、長い芝でも安定した刈り取り作業を行うことが可能となる。
【００１５】
また、前記集草容器を保持する保持部材を左右の芝刈機本体に設け、該保持部材の下部を芝刈機本体に軸支し、該保持部材の上部と前記支持フレームの支持軸とを前記連結アームで連結すれば、簡単な構成で後ローラによる高さ調節に連動して集草容器の前部を上向きに移動させることができる。
【発明の効果】
【００１６】
本願発明は、以上説明したような手段により、刈り高さを高くするために後ローラの高さを調節しても集草容器の前部が大きく下がらないので、高い刈り高さで安定した刈り取りができるリール式芝刈機を提供することが可能となる。
【発明を実施するための最良の形態】
【００１７】
以下、本願発明の一実施の形態を図面に基づいて説明する。図１は、本願発明の一実施の形態に係るリール式芝刈機の中央縦断面図である。図ではねじれた回転刃の一部を二点鎖線で示し、回転刃と芝刈機本体との間の構成を明確に示している。また、刈り高さを最も低い刈り高さＨ１とした状態を示している。
【００１８】
図示するように、この実施の形態のリール式芝刈機１は、左右（紙面と直交する方向）に芝刈機本体３が設けられ、これら芝刈機本体３の外側に前ホイール２が軸８で軸支されている。左右の芝刈機本体３の前部は、芝刈機１の前部に集草容器６を引っ掛けて保持する保持部材たる保持ブラケット７で連結されている。また、芝刈機本体３の間には、回転刃４（リール刃）を支持する回転軸５が設けられている。左右の芝刈機本体３の内部には、前ホイール２が回転することによって内蔵したインターナルギヤで前記回転軸５に連結されたピニオンギヤを回転させる歯車機構９が内蔵されている。回転軸５は、ワンウエイクラッチ（図示略）によって一方向にのみ回転するように構成されている。従って、前ホイール２を回転させれば、芝刈機本体３の間で回転刃４を刈取り方向に回転させることができる。
【００１９】
一方、前記芝刈機本体３の後部には本体フレーム１０が固定されている。この本体フレーム１０は、左右の芝刈機本体３からそれぞれ後方に向けて延びるように設けられている。そして、これら左右の本体フレーム１０の間には、後ローラ１１を回転自在に支持する支持フレーム１２を左右に備えた支持軸１３が設けられている。この支持軸１３により、支持フレーム１２は上下方向に揺動可能に構成されている。この実施の形態では、支持フレーム１２を、芝刈機本体３から後方に延設して固定された本体フレーム１０に設けている。
【００２０】
また、左右の支持フレーム１２の上部には、支持軸１３を中心に複数の凹部１４が形成されている。そして、前記本体フレーム１０間には、この凹部１４と係合する高さ固定バー１５が設けられている。この高さ固定バー１５は、支持軸１３に向けて付勢（例えば、バネ等で付勢。）されており、所定の凹部１４と係合した状態を保つように構成されている。
【００２１】
さらに、支持軸１３には、本体フレーム１０の間に延びる固定刃取付フレーム１６が軸支されている。この固定刃取付フレーム１６の先端に固定刃１７（ナイフ）が取付けられている。固定刃取付フレーム１６は、支持軸１３を中心に回動可能に構成されており、本体フレーム１０に設けられた刃調整ナット１８によって固定刃１７の位置を調整できるように構成されている。この刃調整ナット１８は、スプリング１９によって固定刃取付フレーム１６を弾力的に支持している。
【００２２】
従って、支持軸１３を中心に支持フレーム１２を揺動させて選択した凹部１４に高さ固定バー１５を係合させることにより、支持フレーム１２の位置を移動させて固定刃１７の高さを調節することができるように構成されている。このように、支持フレーム１２に設けた高さ固定バー１５を係合させる凹部１４の位置調節により、回転刃４と固定刃１７との接する部分で芝ｍを刈り取る刈り高さＨ１を調節することができる。これが刈り高さ調節機構である。
【００２３】
また、左右の本体フレーム１０には、後方に延びるハンドル２０が設けられている。このハンドル２０は、作業者が持って本体フレーム１０とともに前ホイール２を前進させれば、この前ホイール２が回転して回転刃４を回転させ、この回転する回転刃４と前記固定刃１７との間で芝ｍを刈り取ることができる。この刈り取った芝ｍは、案内カバー２１によって前方の集草容器６に集められる。
【００２４】
そして、このように構成された芝刈機１において、前記集草容器６を引っ掛けて保持するための保持ブラケット７の下部が芝刈機本体３に支持軸２２で軸支され、上部が揺動可能に構成されるとともに、この揺動可能な保持ブラケット７の上部が、前記支持フレーム１２と連結アーム２３（リンク）で連結されている。従って、支持フレーム１２の揺動に連動して、この連結アーム２３が保持ブラケット７の上部を揺動させるように構成されている。
【００２５】
この連結アーム２３で連結する位置としては、この実施の形態では、後ローラ１１を支持する支持フレーム１２の揺動軸である支持軸１３の上部としている。この支持軸１３の上部とすることにより、後ローラ１１により刈り高さを高く調節する時に支持フレーム１２が支持軸１３を中心に図示する反時計方向に回動するので、連結アーム２３の支持部が後ローラ側に移動して集草容器６の保持ブラケットの上部を後ローラ１１側に移動させる。
【００２６】
これにより、後ローラ１１によって刈り高さを高くしたときに本体フレーム１０の位置が上部に移動して芝刈機本体３が前向きに回動し、これにより集草容器６の保持ブラケット７も回動して位置が変化したとしても、この保持ブラケット７の上部は連結アーム２３によって後ローラ１１側に揺動させられるので、保持ブラケット７が前向きに傾くのを防止して集草容器６の前部が下がらないようにできる。
【００２７】
この実施の形態では、後ローラ１１を支持する支持フレーム１２の支持軸１３に近接した上部と保持ブラケット７の上部とを連結アーム２３で連結して保持ブラケット上部を後ローラ１１側に移動させるようにしているが、この連結アーム２３の連結位置としては、支持フレーム１２を回動させて刈り高さを高くしたときに集草容器６の前部が下がらないような構成であればよい。
【００２８】
図２は、図１に示すリール式芝刈機の刈り高さ調節時の中央縦断面図であり、図３は、図１の状態から図２の状態に移行する途中の連結アームを示す参考図である。
【００２９】
図２に示す状態は支持フレーム１２の最も高い位置の凹部１４に高さ固定バー１５を係合させた状態を示しており、この状態が刈り高さを最も高い刈り高さＨ３とした状態である。このように後ローラ１１を支持している支持フレーム１２を回動させて刈り高さＨ３の最も高い位置に調節したとしても、連結アーム２３によって集草容器６を保持している保持ブラケット７の上部が支持軸２２を支点として後ローラ１１側に揺動させられるので、芝刈機本体３が回動して保持ブラケット７の位置は変化するが、保持ブラケット７の角度は集草容器６の前部が下がらないような角度に変更することができる。従って、集草容器６の前部は下がることなく、芝刈機１を前進させて行う芝ｍの刈り取り作業を安定して行うことができる。
【００３０】
また、この図２に示す最も高い刈り高さＨ３の状態と、図１に示す最も低い刈り高さＨ１の状態との間でも、支持フレーム１２に設けられた凹部１４の位置を任意に変更することによって刈り高さを変更することは可能であり、この場合でも、図３に示すように、支持フレーム１２の回動によって連結アーム２３が集草容器６の保持ブラケット７の上部を、支持軸２２を中心に後ローラ１１側へ移動させるので、集草容器６の前部が下がるのを防止して、芝ｍの刈り取り作業を安定して行うことができる。
【００３１】
従って、このリール式芝刈機１によれば、支持フレーム１２を回動させることによって後ローラ１１の高さ位置を調節することにより、この調節に連動して刈り高さを調節することができるとともに、連結アーム２３で集草容器６の前部が下がらないように保持ブラケット７の上部を後ローラ１１側へ揺動させることができるので、１つの調節で刈り高さＨ３（Ｈ１）に応じた集草容器６の角度調節もすることができる。
【００３２】
しかも、この刈り高さＨ３（Ｈ１）の調節に連動して集草容器６の角度（位置）を、刈り取り時に集草容器６の前部が芝ｍに当たって支障を来たさない状態とすることができるので、長い芝ｍをリール式芝刈機１で直接刈り取ることができる。また、芝ｍを刈るときに一度で刈取れる長さはある程度決まっているので、刈り高さＨ３とした高い状態（例えば、図２の状態）から段階的に刈り高さを低く（例えば、図１の状態まで）変更して複数回の刈り取り作業を行うことにより、従来のように草刈機等による予備的な刈り取り作業を行うことなく、リール式芝刈機１のみで長い芝ｍを短い芝ｍまで段階的に刈り取ることが可能となり、芝刈り作業の作業性向上や迅速化も可能となる。
【００３３】
なお、前述した実施の形態は一例を示しており、本願発明の要旨を損なわない範囲での種々の変更は可能であり、本願発明は前述した実施の形態に限定されるものではない。
【産業上の利用可能性】
【００３４】
本願発明に係るリール式芝刈機は、刈り高さを高くして長い芝を刈り取りたい場合に好適に利用できる。
【図面の簡単な説明】
【００３５】
【図１】本願発明の一実施の形態に係るリール式芝刈機の中央縦断面図である。
【図２】図１に示すリール式芝刈機の刈り高さ調節時の中央縦断面図である。
【図３】図１の状態から図２の状態に移行する途中の連結アームを示す参考図である。
【図４】従来より使用されているリール式芝刈機の全体を示す斜視図である。
【図５】図４に示す従来のリール式芝刈機の中央縦断面図である。
【符号の説明】
【００３６】
１…芝刈機
２…前ホイール
３…芝刈機本体
４…回転刃
５…回転軸
６…集草容器
７…保持ブラケット
８…軸
９…歯車機構
１０…本体フレーム
１１…後ローラ
１２…支持フレーム
１３…支持軸
１４…凹部
１５…高さ固定バー
１６…固定刃取付フレーム
１７…固定刃
１８…刃調整ナット
２０…ハンドル
２１…案内カバー
２２…支持軸
２３…連結アーム
Ｈ１，Ｈ３…刈り高さ
ｍ…芝
【図１】
2006304618.tif 000003
【図２】
2006304618.tif 000004
【図３】
2006304618.tif 000005
【図４】
2006304618.tif 000006
【図５】
2006304618.tif 000007